(57)【特許請求の範囲】
【請求項１】
電源部から第１の電圧が供給され、電気信号を光信号に変換する第１の変換部と、受信した光信号を電気信号に変換する第２の変換部を有する第１の光モジュール部と、
上記第１の光モジュール部を制御する第１の論理回路部とを備え、
上記第１の光モジュール部は、
電源部から第２の電圧が供給されている場合に、電気信号を変調する第１の変調部と、
上記第２の電圧の供給を上記第１の変調部に継続又は停止する第１の継続・停止部と、電気信号を変調する第２の変調部と、
電源部から第３の電圧が供給されている場合に、上記第２の変換部で変換された電気信号に基づき、第１の信号を生成する第１の信号生成部と、上記第３の電圧の供給を上記第１の信号生成部に継続又は停止する第２の継続・停止部と、電源部から第４の電圧が供給されており、上記第２の変換部で変換された電気信号に基づき、第２の信号を生成する第２の信号生成部とを有し、
上記第１の論理回路部は、
シンク機器により受信されるリモコン信号として通常電力動作モードを示すコマンドを受信した場合、上記第１の変調部に上記第２の電圧の供給を継続するように上記第１の継続・停止部を制御し、かつ、上記第１の信号生成部に上記第３の電圧の供給を継続するように上記第２の継続・停止部を制御し、
上記シンク機器により受信されるリモコン信号として低消費電力モードを示すコマンドを受信した場合、上記第１の変調部に上記第２の電圧の供給を停止するように上記第１の継続・停止部を制御し、かつ、上記第１の信号生成部に上記第３の電圧の供給を停止するように上記第２の継続・停止部を制御することを特徴とする光伝送ユニット。
【請求項２】
ソース機器と電気的に接続される第１の接続部と、
電源部から第１の電圧が供給され、電気信号を光信号に変換する第１の変換部と、受信した光信号を電気信号に変換する第２の変換部を有する第１の光モジュール部と、
上記第１の接続部を介して上記ソース機器から供給される第１の信号又は第２ の信号を上記第１の光モジュール部に出力し、上記第１の光モジュール部から供給される第３の信号又は第４の信号を上記第１の接続部を介して上記ソース機器に出力する第１の論理回路部とを備え、
上記第１の光モジュール部は、
電源部から第２の電圧が供給されている場合に、上記第１の信号に基づいて、電気信号を変調する第１の変調部と、上記第２の電圧の供給を上記第１の変調部に継続又は停止する第１の継続・停止部と、上記第２の信号に基づいて、電気信号を変調する第２の変調部と、
電源部から第３の電圧が供給されている場合に、上記第２の変換部で変換された電気信号に基づき、上記第３の信号を生成する第１の信号生成部と、上記第３の電圧の供給を上記第１の信号生成部に継続又は停止する第２の継続・停止部と、電源部から第４の電圧が供給されており、上記第２の変換部で変換された電気信号に基づき、上記第４の信号を生成する第２の信号生成部とを有し、
上記第１の論理回路部は、
シンク機器から上記ソース機器に送られてくる上記第２の変換部により電気信号に変換される光信号として、上記シンク機器により受信されたリモコン信号を解釈することにより得られた通常電力動作モードを示すコマンドを受信した場合、上記第１の変調部に上記第２の電圧の供給を継続するように上記第１の継続・停止部を制御し、かつ、上記第１の信号生成部に上記第３の電圧の供給を継続するように上記第２の継続・停止部を制御し、
上記シンク機器から上記ソース機器に送られてくる上記第２の変換部により電気信号に変換される光信号として、上記シンク機器により受信されたリモコン信号を解釈することにより得られた低消費電力モードを示すコマンドを受信した場合、上記第１の変調部に上記第２の電圧の供給を停止するように上記第１の継続・停止部を制御し、かつ、上記第１の信号生成部に上記第３の電圧の供給を停止するように上記第２の継続・停止部を制御することを特徴とする光伝送ユニット。
【請求項３】
パラレル信号をシリアル信号に変換する第１の信号変換部を備え、
上記第１の信号変換部は、上記第１の論理回路部から出力される上記第１の信号をシリアル信号に変換し、変換後のシリアル信号を上記第１ の変調部に供給することを特徴とする請求項２記載の光伝送ユニット。
【請求項４】
シンク機器と電気的に接続される第２の接続部と、
受信した光信号を電気信号に変換する第３の変換部と、電源部から第５の電圧が供給され、電気信号を光信号に変換する第４の変換部を有する第２の光モジュール部と、
上記第２の光モジュール部から供給される第５の信号又は第６の信号を上記第２の接続部を介して上記シンク機器に出力し、上記第２の接続部を介して上記シンク機器から供給される第７の信号又は第８の信号を上記第２の光モジュール部に出力する第２の論理回路部とを備え、
上記第２の光モジュール部は、
電源部から第６の電圧が供給されている場合に、上記第３の変換部で変換された電気信号に基づき、上記第５の信号を生成する第３信号生成部と、上記第６の電圧の供給を上記第３の信号生成部に継続又は停止する第３の継続・停止部と、電源部から第７の電圧が供給されており、上記第３変換部で変換された電気信号に基づき、上記第６の信号を生成する第４の信号生成部とを有し、
電源部から第８の電圧が供給されている場合に、上記第７の信号に基づいて、電気信号を変調する第３の変調部と、上記第８の電圧の供給を上記第３の変調部に継続又は停止する第４の継続・停止部と、上記第８の信号に基づいて、電気信号を変調する第４の変調部と、
上記第２の論理回路部は、
上記シンク機器により受信されるリモコン信号として通常電力動作モードを示すコマンドを受信した場合、上記第３の変調部に上記第８の電圧の供給を継続するように上記第４の継続・停止部を制御し、かつ、上記第３の信号生成部に上記第６の電圧の供給を継続するように上記第３の継続・停止部を制御し、
上記シンク機器により受信されるリモコン信号として低消費電力モードを示すコマンドを受信した場合、上記第３の変調部に上記第８の電圧の供給を停止するように上記第４の継続・停止部を制御し、かつ、上記第３の信号生成部に上記第６の電圧の供給を停止するように上記第３の継続・停止部を制御することを特徴とする光伝送ユニット。
【請求項５】
シリアル信号をパラレル信号に変換する第２の信号変換部を備え、
上記第２ の信号変換部は、上記第３の信号生成部で生成された上記第５の信号をパラレル信号に変換し、変換後のパラレル信号を上記第２の論理回路部に供給することを特徴とする請求項４記載の光伝送ユニット。
【請求項６】
一方端側がソース機器に接続され、他方端側が光ファイバの一方端に接続されてなる第１の光伝送ユニットと、一方端側が上記光ファイバの他方端に接続され、他方端側がシンク機器に接続されてなる第２の光伝送ユニットとから構成され、上記ソース機器と上記シンク機器との間における信号の送受信を行う光伝送ケーブルにおいて、
上記第１の光伝送ユニットは、ソース機器と電気的に接続される第１の接続部と、電源部から第１の電圧が供給され、電気信号を光信号に変換する第１の変換部と、上記光ファイバを介して上記第２の光伝送ユニットから供給された光信号を受信し、受信した上記光信号を電気信号に変換する第２の変換部を有する第１の光モジュール部と、上記第１の接続部を介して上記ソース機器から供給される第１の信号又は第２の信号を上記第１の光モジュール部に出力し、上記第１の光モジュール部から供給される第３の信号又は第４の信号を上記第１の接続部を介して上記ソース機器に出力する第１の論理回路部とを備え、
上記第２の光伝送ユニットは、シンク機器と電気的に接続される第２の接続部と、上記光ファイバを介して上記第１の光伝送ユニットから供給された光信号を受信し、受信した上記光信号を電気信号に変換する第３の変換部と、電源部から第５の電圧が供給され、電気信号を光信号に変換する第４の変換部を有する第２の光モジュール部と、上記第２の光モジュール部から供給される第５の信号又は第６の信号を上記第２の接続部を介して上記シンク機器に出力し、上記第２の接続部を介して上記シンク機器から供給される第７の信号又は第８の信号を上記第２の光モジュール部に出力する第２の論理回路部とを備え、
上記第１の光モジュール部は、電源部から第２の電圧が供給されている場合に、上記第１の信号に基づいて、電気信号を変調する第１の変調部と、上記第２の電圧の供給を上記第１の変調部に継続又は停止する第１の継続・停止部と、上記第２の信号に基づいて、電気信号を変調する第２の変調部と、電源部から第３の電圧が供給されている場合に、上記第２の変換部で変換された電気信号に基づき、上記第３の信号を生成する第１の信号生成部と、上記第３の電圧の供給を上記第１の信号生成部に継続又は停止する第２の継続・停止部と、電源部から第４の電圧が供給されており、上記第２の変換部で変換された電気信号に基づき、上記第４の信号を生成する第２の信号生成部とを有し、
上記第１の論理回路部は、シンク機器から上記ソース機器に送られてくる上記第２の変換部により電気信号に変換される光信号として、上記シンク機器により受信されたリモコン信号を解釈することにより得られた通常電力動作モードを示すコマンドを受信した場合、上記第１の変調部に上記第２の電圧の供給を継続するように上記第１の継続・停止部を制御し、かつ、上記第１の信号生成部に上記第３の電圧の供給を継続するように上記第２の継続・停止部を制御し、シンク機器から上記ソース機器に送られてくる上記第２の変換部により電気信号に変換される光信号として、上記シンク機器により受信されたリモコン信号を解釈することにより得られた低消費電力モードを示すコマンドを受信した場合、上記第１ の変調部に上記第２の電圧の供給を停止するように上記第１の継続・停止部を制御し、かつ、上記第１の信号生成部に上記第３の電圧の供給を停止するように上記第２の継続・停止部を制御し、
上記第２の光モジュール部は、電源部から第６の電圧が供給されている場合に、上記第３の変換部で変換された電気信号に基づき、上記第５の信号を生成する第３の信号生成部と、上記第６の電圧の供給を上記第３の信号生成部に継続又は停止する第３の継続・停止部と、電源部から第７の電圧が供給されており、上記第３の変換部で変換された電気信号に基づき、上記第６の信号を生成する第４の信号生成部とを有し、電源部から第８の電圧が供給されている場合に、上記第７の信号に基づいて、電気信号を変調する第３の変調部と、上記第８の電圧の供給を上記第３の変調部に継続又は停止する第４の継続・停止部と、上記第８の信号に基づいて、電気信号を変調する第４の変調部と、
上記第２の論理回路部は、上記シンク機器により受信されるリモコン信号として通常電力動作モードを示すコマンドを受信した場合、上記第３の変調部に上記第８の電圧の供給を継続するように上記第４の継続・停止部を制御し、かつ、上記第３の信号生成部に上記第６の電圧の供給を継続するように上記第３の継続・停止部を制御し、上記シンク機器により受信されるリモコン信号として低消費電力モードを示すコマンドを受信した場合、上記第３の変調部に上記第８の電圧の供給を停止するように上記第４の継続・停止部を制御し、かつ、上記第３の信号生成部に上記第６の電圧の供給を停止するように上記第３の継続・停止部を制御することを特徴とする光伝送ケーブル。
【請求項７】
パラレル信号をシリアル信号に変換する第１の信号変換部と、
シリアル信号をパラレル信号に変換する第２の信号変換部を備え、
上記第１の信号変換部は、上記第１の論理回路部から出力される上記第１の信号をシリアル信号に変換し、変換後のシリアル信号を上記第１の変調部に供給し、
上記第２の信号変換部は、上記第３の信号生成部で生成された上記第５の信号をパラレル信号に変換し、変換後のパラレル信号を上記第２の論理回路部に供給することを特徴とする請求項６記載の光伝送ケーブル。
【発明の詳細な説明】
【技術分野】
【０００１】
本発明は、光信号を電気信号に変換し、及び電気信号を光信号に変換する光伝送ユニットと、当該光伝送ユニットが光ファイバの両端側に形成されている光伝送ケーブルに関する。
【背景技術】
【０００２】
現在、図７に示すように、チューナを内蔵する機器（Source（ソース）機器）５０と、ソース機器５０から供給された信号に基づき、所定の映像を表示するパネル機器（Sink（シンク）機器）５１とにより構成されている表示システム１００がある。この表示システム１００では、ソース機器５０とシンク機器５１とのレイアウトを自由にし、美観を保つために、高帯域であり、細線化及び長距離化が可能な光ファイバ５２を用いてソース機器５０とシンク機器５１との間をコネクトする光伝送ケーブル５３が存在する。
【０００３】
光伝送ケーブル５３は、一方端側がソース機器５０に接続され、他方端側が光ファイバ５２の一方端に接続されてなる第１の光伝送ユニット５４と、一方端側が光ファイバ５２の他方端に接続され、他方端側がシンク機器５１に接続されてなる第２の光伝送ユニット５５とから構成されている。
【０００４】
ここで、第１の光伝送ユニット５４と第２の光伝送ユニット５５の構成について図８を用いて説明する。第１の光伝送ユニット５４は、ソース機器５０から供給されるビデオ信号等をインターフェースするRGB I/F部６０と、機器固有の制御信号等をインターフェースする制御信号I/F部６１と、ビデオ信号及び制御信号等を多重分離するロジック（論理回路）部６２と、これら信号を光伝送に適した符号変換等を行う高速デバイス（SERDES）部６３と、電気信号と光信号を相互に変換する光モジュール部６４と、RGB I/F部６０から供給された信号に所定処理を行い、処理後の信号を論理回路部６２に供給するRGB I/Fデバイス６５とから構成される。
【０００５】
論理回路部６２は、RGB I/F部６０及び制御信号I/F部６１で受信した信号を、高速デバイス部６３又は制御信号I/F部６１に対して１本のストリームに時分割多重／分離する機能を持ち、FPGA（Field Programmable Gate Array）等で実現される。
【０００６】
なお、高速デバイス部６３は、１本のストリームに多重化されたビデオ信号及び制御信号等をシリアライズし、光伝送に適した符号変換（エンコード）を行う。通常、シリアライズ+8B10Bエンコード機能を備えたSERDESと呼ばれる高速のデバイスにより実現する。
【０００７】
また、ビデオ信号は、ソース機器５０からシンク機器５１への方向へのみ存在し、その他の制御信号は、ソース機器５０からシンク機器５１へ、及びシンク機器５１からソース機器５０への双方向において存在する。また、ソース機器５０からシンク機器５１方向の信号（以下、下り信号という。）の伝送帯域は、シンク機器５１からソース機器５０方向の信号（以下、上り信号という。）の伝送帯域よりも大きいものとし、例えば、下り信号は、数Gbpsであり、上り信号は、100kbps程度が8chという構成になっている。
【０００８】
また、実際のセットでは、上述のビデオ信号及び制御信号の送受信の動作状態（通常動作状態）以外に、例えば、リモコンで電源をOFFにした状態（スタンバイ動作状態）が存在する。近年、特に、コンスーマ機器において、環境問題の観点から商品の低消費電力化や待機（スタンバイ）電力の削減が求められており、待機時の消費電力は、セット全体で概ね１Ｗ以下となるように構成されている。したがって、コンスーマ機器では、このような僅かな電力によって、待機中においてもリモコン信号の送信動作や、ベンダ独自のソフトウェアによるシステム監視動作を行っている。
【０００９】
また、スタンバイ中の伝送速度は、各々数kbps程度ではあるが、可能な限り低消費電力で通信を行わなければならない。
【００１０】
なお、第２の光伝送ユニット５５も第１の光伝送ユニット５４と同様の構成であり、シンク機器５１にビデオ信号等を供給するRGB I/F部７０と、機器固有の制御信号等をインターフェースする制御信号I/F部７１と、ビデオ信号及び制御信号等を多重分離するロジック（論理回路）部７２と、デシリアライズ等を行う高速デバイス（SERDES）部７３と、電気信号を光信号に変換し、光信号を電気信号に変換する光モジュール部７４と、論理回路部７２から供給された信号に所定の処理を行い、処理後の信号をRGB I/F部７０に供給するRGB I/Fデバイス７５とから構成される。
【００１１】
また、高速デバイス部７３は、１本のストリームに多重化されたビデオ信号及び制御信号等をデシリアライズし、光伝送に適した変換（デコード）を行う。通常、デシリアライズ+8B10Bデコード機能を備えたSERDESと呼ばれる高速のデバイスにより実現する。
【００１２】
【特許文献１】特許第３３８１０５９号公報
【発明の開示】
【発明が解決しようとする課題】
【００１３】
ところで、光通信の場合、通信業界から発展してきた技術であるため、PECL（Pseudo（Positive）-Emitter-Coupled Logic）インターフェースが主流となっており、各デバイス（機器）は、信号伝送の有無にかかわらず同じだけ電力を消費してしまい、その上、終端抵抗で消費する電力も無視することができない。
【００１４】
また、スタンバイ時に必要な低消費電力モードを備えているデバイスも数Gbpsという高速領域の多くのデバイスには装備されていない。このような状況の中で、フル動作モード時は数Gbpsと数十Mbps、スタンバイ時は限りなくゼロに近い電力で数kbpsを伝送するという２つのモードを実現する必要がある。電気ケーブルの場合には、それ自体で電力を消費しないのに対し、光伝送ケーブルの場合には、スタンバイ中にもかかわらず発光させるだけで数百ｍＷオーダーの電力消費が予想されるため、低消費電力化を図ることが光伝送システムの大きな課題となっている。
【００１５】
ここで、光通信デバイスにおいて、スタンバイ時に消費される電力を抑制する場合には、例えば、低速専用のトランスミッタ及びレシーバを設ける構成が考えられる（図９）。このような構成によれば、スタンバイ時には、高速デバイスを使用せず、低速専用のトランスミッタ及びレシーバを使用する。しかし、このような構成では、ある程度の低消費電力化は期待できるものの、劇的な低消費電力化を図ることはできない。また、別途、増加チャネル分の送受信デバイス及び光ファイバを結合する光学系が必要となり、光伝送ケーブルが大型化し、また、高価なものとなってしまう（図１０、図１１）。
【００１６】
そこで、本発明では、別途、低速専用のトランスミッタ等を設けることなく、スタンバイ動作時の低消費電力化を図ることが可能となる光伝送ユニット及び、当該光伝送ユニットが両端に形成されてなる光伝送ケーブルを提供する。
【課題を解決するための手段】
【００１７】
本発明に係る光伝送ユニットは、上述の課題を解決するために、電源部から第１の電圧が供給され、電気信号を光信号に変換する第１の変換部と、受信した光信号を電気信号に変換する第２の変換部を有する第１の光モジュール部と、上記第１の光モジュール部を制御する第１の論理回路部とを備え、上記第１の光モジュール部は、電源部から第２の電圧が供給されている場合に、電気信号を変調する第１の変調部と、上記第２の電圧の供給を上記第１の変調部に継続又は停止する第１の継続・停止部と、電気信号を変調する第２の変調部と、電源部から第３の電圧が供給されている場合に、上記第２の変換部で変換された電気信号に基づき、第１の信号を生成する第１の信号生成部と、上記第３の電圧の供給を上記第１の信号生成部に継続又は停止する第２の継続・停止部と、電源部から第４の電圧が供給されており、上記第２の変換部で変換された電気信号に基づき、第２の信号を生成する第２の信号生成部とを有し、上記第１の論理回路部は、シンク機器により受信されるリモコン信号として通常電力動作モードを示すコマンドを受信した場合、上記第１の変調部に上記第２の電圧の供給を継続するように上記第１の継続・停止部を制御し、かつ、上記第１の信号生成部に上記第３の電圧の供給を継続するように上記第２の継続・停止部を制御し、上記シンク機器により受信されるリモコン信号として低消費電力モードを示すコマンドを受信した場合、上記第１の変調部に上記第２の電圧の供給を停止するように上記第１の継続・停止部を制御し、かつ、上記第１の信号生成部に上記第３の電圧の供給を停止するように上記第２の継続・停止部を制御する。
【００１８】
また、本発明に係る光伝送ユニットは、上述の課題を解決するために、ソース機器と電気的に接続される第１の接続部と、電源部から第１の電圧が供給され、電気信号を光信号に変換する第１の変換部と、受信した光信号を電気信号に変換する第２の変換部を有する第１の光モジュール部と、上記第１の接続部を介して上記ソース機器から供給される第１の信号又は第２ の信号を上記第１の光モジュール部に出力し、上記第１の光モジュール部から供給される第３の信号又は第４の信号を上記第１の接続部を介して上記ソース機器に出力する第１の論理回路部とを備え、上記第１の光モジュール部は、電源部から第２の電圧が供給されている場合に、上記第１の信号に基づいて、電気信号を変調する第１の変調部と、上記第２の電圧の供給を上記第１の変調部に継続又は停止する第１の継続・停止部と、上記第２の信号に基づいて、電気信号を変調する第２の変調部と、電源部から第３の電圧が供給されている場合に、上記第２の変換部で変換された電気信号に基づき、上記第３の信号を生成する第１の信号生成部と、上記第３の電圧の供給を上記第１の信号生成部に継続又は停止する第２の継続・停止部と、電源部から第４の電圧が供給されており、上記第２の変換部で変換された電気信号に基づき、上記第４の信号を生成する第２の信号生成部とを有し、上記第１の論理回路部は、シンク機器から上記ソース機器に送られてくる上記第２の変換部により電気信号に変換される光信号として、上記シンク機器により受信されたリモコン信号を解釈することにより得られた通常電力動作モードを示すコマンドを受信した場合、上記第１の変調部に上記第２の電圧の供給を継続するように上記第１の継続・停止部を制御し、かつ、上記第１の信号生成部に上記第３の電圧の供給を継続するように上記第２の継続・停止部を制御し、上記シンク機器から上記ソース機器に送られてくる上記第２の変換部により電気信号に変換される光信号として、上記シンク機器により受信されたリモコン信号を解釈することにより得られた低消費電力モードを示すコマンドを受信した場合、上記第１の変調部に上記第２の電圧の供給を停止するように上記第１の継続・停止部を制御し、かつ、上記第１の信号生成部に上記第３の電圧の供給を停止するように上記第２の継続・停止部を制御する。
【００１９】
また、本発明に係る光伝送ユニットは、上述の課題を解決するために、シンク機器と電気的に接続される第２の接続部と、受信した光信号を電気信号に変換する第３の変換部と、電源部から第５の電圧が供給され、電気信号を光信号に変換する第４の変換部を有する第２の光モジュール部と、上記第２の光モジュール部から供給される第５の信号又は第６の信号を上記第２の接続部を介して上記シンク機器に出力し、上記第２の接続部を介して上記シンク機器から供給される第７の信号又は第８の信号を上記第２の光モジュール部に出力する第２の論理回路部とを備え、上記第２の光モジュール部は、電源部から第６の電圧が供給されている場合に、上記第３の変換部で変換された電気信号に基づき、上記第５の信号を生成する第３信号生成部と、上記第６の電圧の供給を上記第３の信号生成部に継続又は停止する第３の継続・停止部と、電源部から第７の電圧が供給されており、上記第３変換部で変換された電気信号に基づき、上記第６の信号を生成する第４の信号生成部とを有し、電源部から第８の電圧が供給されている場合に、上記第７の信号に基づいて、電気信号を変調する第３の変調部と、上記第８の電圧の供給を上記第３の変調部に継続又は停止する第４の継続・停止部と、上記第８の信号に基づいて、電気信号を変調する第４の変調部と、上記第２の論理回路部は、上記シンク機器により受信されるリモコン信号として通常電力動作モードを示すコマンドを受信した場合、上記第３の変調部に上記第８の電圧の供給を継続するように上記第４の継続・停止部を制御し、かつ、上記第３の信号生成部に上記第６の電圧の供給を継続するように上記第３の継続・停止部を制御し、上記シンク機器により受信されるリモコン信号として低消費電力モードを示すコマンドを受信した場合、上記第３の変調部に上記第８の電圧の供給を停止するように上記第４の継続・停止部を制御し、かつ、上記第３の信号生成部に上記第６の電圧の供給を停止するように上記第３の継続・停止部を制御する。
【００２０】
さらに、本発明は、上述の課題を解決するために、一方端側がソース機器に接続され、他方端側が光ファイバの一方端に接続されてなる第１の光伝送ユニットと、一方端側が上記光ファイバの他方端に接続され、他方端側がシンク機器に接続されてなる第２の光伝送ユニットとから構成され、上記ソース機器と上記シンク機器との間における信号の送受信を行う光伝送ケーブルにおいて、上記第１の光伝送ユニットは、ソース機器と電気的に接続される第１の接続部と、電源部から第１の電圧が供給され、電気信号を光信号に変換する第１の変換部と、上記光ファイバを介して上記第２の光伝送ユニットから供給された光信号を受信し、受信した上記光信号を電気信号に変換する第２の変換部を有する第１の光モジュール部と、上記第１の接続部を介して上記ソース機器から供給される第１の信号又は第２の信号を上記第１の光モジュール部に出力し、上記第１の光モジュール部から供給される第３の信号又は第４の信号を上記第１の接続部を介して上記ソース機器に出力する第１の論理回路部とを備え、上記第２の光伝送ユニットは、シンク機器と電気的に接続される第２の接続部と、上記光ファイバを介して上記第１の光伝送ユニットから供給された光信号を受信し、受信した上記光信号を電気信号に変換する第３の変換部と、電源部から第５の電圧が供給され、電気信号を光信号に変換する第４の変換部を有する第２の光モジュール部と、上記第２の光モジュール部から供給される第５の信号又は第６の信号を上記第２の接続部を介して上記シンク機器に出力し、上記第２の接続部を介して上記シンク機器から供給される第７の信号又は第８の信号を上記第２の光モジュール部に出力する第２の論理回路部とを備え、上記第１の光モジュール部は、電源部から第２の電圧が供給されている場合に、上記第１の信号に基づいて、電気信号を変調する第１の変調部と、上記第２の電圧の供給を上記第１の変調部に継続又は停止する第１の継続・停止部と、上記第２の信号に基づいて、電気信号を変調する第２の変調部と、電源部から第３の電圧が供給されている場合に、上記第２の変換部で変換された電気信号に基づき、上記第３の信号を生成する第１の信号生成部と、上記第３の電圧の供給を上記第１の信号生成部に継続又は停止する第２の継続・停止部と、電源部から第４の電圧が供給されており、上記第２の変換部で変換された電気信号に基づき、上記第４の信号を生成する第２の信号生成部とを有し、上記第１の論理回路部は、シンク機器から上記ソース機器に送られてくる上記第２の変換部により電気信号に変換される光信号として、上記シンク機器により受信されたリモコン信号を解釈することにより得られた通常電力動作モードを示すコマンドを受信した場合、上記第１の変調部に上記第２の電圧の供給を継続するように上記第１の継続・停止部を制御し、かつ、上記第１の信号生成部に上記第３の電圧の供給を継続するように上記第２の継続・停止部を制御し、シンク機器から上記ソース機器に送られてくる上記第２の変換部により電気信号に変換される光信号として、上記シンク機器により受信されたリモコン信号を解釈することにより得られた低消費電力モードを示すコマンドを受信した場合、上記第１の変調部に上記第２の電圧の供給を停止するように上記第１の継続・停止部を制御し、かつ、上記第１の信号生成部に上記第３の電圧の供給を停止するように上記第２の継続・停止部を制御し、上記第２の光モジュール部は、電源部から第６の電圧が供給されている場合に、上記第３の変換部で変換された電気信号に基づき、上記第５の信号を生成する第３の信号生成部と、上記第６の電圧の供給を上記第３の信号生成部に継続又は停止する第３の継続・停止部と、電源部から第７の電圧が供給されており、上記第３の変換部で変換された電気信号に基づき、上記第６の信号を生成する第４の信号生成部とを有し、電源部から第８の電圧が供給されている場合に、上記第７の信号に基づいて、電気信号を変調する第３の変調部と、上記第８の電圧の供給を上記第３の変調部に継続又は停止する第４の継続・停止部と、上記第８の信号に基づいて、電気信号を変調する第４の変調部と、上記第２の論理回路部は、上記シンク機器により受信されるリモコン信号として通常電力動作モードを示すコマンドを受信した場合、上記第３の変調部に上記第８の電圧の供給を継続するように上記第４の継続・停止部を制御し、かつ、上記第３の信号生成部に上記第６の電圧の供給を継続するように上記第３の継続・停止部を制御し、上記シンク機器により受信されるリモコン信号として低消費電力モードを示すコマンドを受信した場合、上記第３の変調部に上記第８の電圧の供給を停止するように上記第４の継続・停止部を制御し、かつ、上記第３の信号生成部に上記第６の電圧の供給を停止するように上記第３の継続・停止部を制御する。
【発明の効果】
【００２１】
本願発明では、別チャネルを設けることなく同一のアクティブデバイスを有効に活用し、異なる速度の伝送を可能にするとともに、スタンバイ時において低消費電力動作を簡易な構成で安価に実現することができる。
【発明を実施するための最良の形態】
【００２２】
以下、本発明の実施の形態について、図面を参照しながら詳細に説明する。
【００２３】
本願発明に係る光伝送ケーブル１は、図１に示すように、一方端側がソース機器２に接続され、他方端側が光ファイバ３の一方端に接続されてなる第１の光伝送ユニット４と、一方端側が光ファイバ３の他方端に接続され、他方端側がシンク機器５に接続されてなる第２の光伝送ユニット６とから構成され、ソース機器２とシンク機器５との間における信号の送受信を行うケーブルである。
【００２４】
ここで、第１の光伝送ユニット４の構成について図２に示すブロック図を参照しながら説明する。
【００２５】
第１の光伝送ユニット４は、図２に示すように、ソース機器２と電気的に接続される第１の接続部１０と、図示しない電源部Ａから第１の電圧Ｖ１が供給され、電気信号Ｉを光信号Ｓに変換する第１の変換部１１と、受信した光信号Ｓを電気信号Ｉに変換する第２の変換部１２を有する第１の光モジュール部１３と、第１の接続部１０を介してソース機器２から供給される第１の信号Ｓ１又は第２の信号Ｓ２を第１の光モジュール部１３に出力し、第１の光モジュール部１３から供給される第３の信号３又は第４の信号Ｓ４を第１の接続部１０を介してソース機器２に出力する第１の論理回路部１４とを備える。
【００２６】
ここで、第１の光モジュール部１３の構成について説明する。第１の光モジュール部１３は、図示しない電源部Ｂから第２の電圧Ｖ２が供給されている場合に、第１の信号Ｓ１に基づいて、第１の変換部１１に対し電気信号Ｉを変調する第１の変調部１５と、第２の電圧Ｖ２の供給を第１の変調部１５に継続又は停止する第１の継続・停止部１６と、第２の信号Ｓ２に基づいて、電気信号を変調する第２の変調部１７と、図示しない電源部Ｃから第３の電圧Ｖ３が供給されている場合に、第２の変換部１２で変換された電気信号Ｉに基づき、第３の信号Ｓ３を生成する第１の信号生成部１８と、第３の電圧Ｖ３の供給を第１の信号生成部１８に継続又は停止する第２の継続・停止部１９と、図示しない電源部Ｄから第４の電圧Ｖ４が供給されており、第２の変換部１２で変換された電気信号Ｉに基づき、第４の信号Ｓ４を生成する第２の信号生成部２０とを有する。
【００２７】
なお、第１の接続・停止部１６と、第２の接続・停止部１９は、第１の光モジュール部１３内に設けられていなくても良く、第１の光モジュール部１３とは別体で構成されていても良い。
【００２８】
また、第１の変調部１５は、高速送信回路を構成しており、第２の変調部１７は、低速送信回路を構成しており、第１の信号生成部１８は、中速受信回路を構成しており、第２の信号生成部２０は、低速受信回路を構成している。
【００２９】
また、第１の光伝送ユニット４は、高速送信を行う通常電力動作モード（フル動作モード）と、低速送受信を行う低消費電力モード（スタンバイ動作モード）によって駆動するデバイス（回路部）が異なる。
【００３０】
ここで、各モードにおける第１の論理回路部１４による制御動作について説明する。第１の論理回路部１４は、通常電力動作モードを示すコマンドを受信した場合、第１の変調部１５に第２の電圧Ｖ２の供給を継続するように第１の継続・停止部１６を制御し、かつ、第１の信号生成部１８に第３の電圧Ｖ３の供給を継続するように第２の継続・停止部１９を制御し、低消費電力モードを示すコマンドを受信した場合、第１の変調部１５に第２の電圧Ｖ２の供給を停止するように第１の継続・停止部１６を制御し、かつ、第１の信号生成部１８に第３の電圧Ｖ３の供給を停止するように第２の継続・停止部１９を制御する。なお、第１の継続・停止部１６及び第２の継続・停止部１９は、継続又は停止動作の切り替えを、例えば、セレクタで行う構成であっても良い。
【００３１】
また、第１の光伝送ユニット４は、パラレル信号をシリアル信号に変換する第１の信号変換部２１を備える構成であっても良い。このような構成の場合には、第１の信号変換部２１は、第１の論理回路部１４から出力される第１の信号Ｓ１をシリアル信号に変換し、変換後のシリアル信号を第１の変調部１５に供給する。また、第１の信号変換部２１は、通常電力動作モードの場合には、第１の継続・停止部１６を介して電源部Ｂから第２の電圧Ｖ２が供給されているが、低消費電力モードのときには、電圧の供給が行われない構成になっている。
【００３２】
なお、電源部Ａ乃至Ｄは、同一の電源部から構成されていても良い。
【００３３】
また、第２の光伝送ユニット６の構成について図３に示すブロック図を参照しながら説明する。
【００３４】
第２の光伝送ユニット６は、図３に示すように、シンク機器５と電気的に接続される第２の接続部３０と、受信した光信号Ｓを電気信号Ｉに変換する第３の変換部３１と、図示しない電源部Ｅから第５の電圧Ｖ５が供給され、電気信号Ｉを光信号Ｓに変換する第４の変換部３２を有する第２の光モジュール部３３と、第２の光モジュール部３３から供給される第５の信号Ｓ５又は第６の信号Ｓ６を第２の接続部３０を介してシンク機器５に出力し、第２の接続部３０を介してシンク機器５から供給される第７の信号Ｓ７又は第８の信号Ｓ８を第２の光モジュール部３３に出力する第２の論理回路部３４とを備える。
【００３５】
ここで、第２の光モジュール部３３の構成について説明する。第２の光モジュール部３３は、図示しない電源部Ｆから第６の電圧Ｖ６が供給されている場合に、第３の変換部３１で変換された電気信号Ｉに基づき、第５の信号Ｓ５を生成する第３の信号生成部３５と、第６の電圧Ｖ６の供給を第３の信号生成部３５に継続又は停止する第３の継続・停止部３６と、図示しない電源部Ｇから第７の電圧Ｖ７が供給されており、第３の変換部３１で変換された電気信号Ｉに基づき、第６の信号Ｓ６を生成する第４の信号生成部３７とを有し、図示しない電源部Ｈから第８の電圧Ｖ８が供給されている場合に、第７の信号Ｓ７に基づいて、電気信号を変調する第３の変調部３８と、第８の電圧Ｖ８の供給を第３の変調部３８に継続又は停止する第４の継続・停止部３９と、第８の信号Ｓ８に基づいて、第４の変換部３２に対し電気信号Ｉを変調する第４の変調部４０とを有する。
【００３６】
なお、第３の接続・停止部３６と、第４の接続・停止部３９は、第２の光モジュール部３３内に設けられていなくても良く、第２の光モジュール部３３とは別体で構成されていても良い。
【００３７】
また、第３の信号生成部３５は、高速受信回路を構成しており、第４の信号生成部３７は、低速受信回路を構成しており、第３の変調部３８は、中速送信回路を構成しており、第４の変調部４０は、低速送信回路を構成している。
【００３８】
また、第２の光伝送ユニット６は、高速受信及び中速送受信を行う通常電力動作モード（フル動作モード）と、低速送受信を行う低消費電力モード（スタンバイ動作モード）によって駆動するデバイスが異なる。
【００３９】
ここで、各モードにおける第２の論理回路部３４による制御動作について説明する。第２の論理回路部３４は、通常電力動作モードを示すコマンドを受信した場合、第３の変調部３８に第８の電圧Ｖ８の供給を継続するように第４の継続・停止部３９を制御し、かつ、第３の信号生成部３５に第６の電圧Ｖ６の供給を継続するように第３の継続・停止部３６を制御し、低消費電力モードを示すコマンドを受信した場合、第３の変調部３８に第８の電圧Ｖ８の供給を停止するように第４の継続・停止部３９を制御し、かつ、第３の信号生成部３５に第６の電圧Ｖ６の供給を停止するように第３の継続・停止部３６を制御する。なお、第３の継続・停止部３６及び第４の継続・停止部３９は、継続又は停止動作の切り替えを、例えば、セレクタで行う構成であっても良い。
【００４０】
また、第２の光伝送ユニット６は、シリアル信号をパラレル信号に変換する第２の信号変換部４１を備える構成であっても良い。このような構成の場合には、第２の信号変換部４１は、第３の信号生成部３５で生成された第５の信号Ｓ５をパラレル信号に変換し、変換後のパラレル信号を第２の論理回路部３４に供給する。また、第２の信号変換部４１は、通常電力動作モードの場合には、第３の継続・停止部３６を介して電源部Ｆから第６の電圧Ｖ６が供給されているが、低消費電力モードのときには、連動して電圧の供給が行われない構成になっている。
【００４１】
なお、電源部Ｅ乃至Ｈは、同一の電源部から構成されていても良い。
【００４２】
また、上述では、第１の光伝送ユニット４は、ソース機器２に外付けされる構成で説明したが、ソース機器２に内蔵されるような構成であっても良い。また、第２の光伝送ユニット６も同様に、シンク機器５に内蔵されるような構成であっても良い。
【００４３】
＜具体例＞
このように構成される本願発明に係る光伝送ケーブル１は、例えば、チューナ別体型のフラットパネルテレビに適用することができる。以下に、映像表示システム７の構成について説明する。なお、映像表示システム７の構成は、図１を参照する。
【００４４】
映像表示システム７は、動作状態として、信号の高速通信及び中速通信が可能な通常動作状態と、信号の低速通信が可能なスタンバイ動作状態とを有している。スタンバイ動作状態においては、低消費電力動作が求められる。なお、以下では、チューナをソース機器と想定し、表示部をシンク機器として想定する。
【００４５】
ここで、ソース機器２に接続されている第１の光伝送ユニット４内の第１の光モジュール部１３の具体的な構成（図４）を図２との比較において説明し、シンク機器５に接続されている第２の光伝送ユニット６内の第２の光モジュール部３３の具体的な構成（図５）を図３との比較において説明する。また、第１の光伝送ユニット４と第２の光伝送ユニット６は、基本的な構成は同一のものとなっている。
【００４６】
第１の変換部１１及び第４の変換部３２は、例えば、ＬＤ（Laser Diode）で構成され、第２の変換部１２及び第３の変換部３１は、例えば、ＰＤ（Photo Diode）で構成され、第１の変調部１５は、例えば、高速伝送用のＬＤＤ（Laser Diode Driver）で構成され、第１の信号生成部１８は、例えば、中速伝送用のＬＡ（Limiting Amplifier）と、ＴＩＡ（Trans impedance Amplifier）とにより構成され、第３の信号生成部３５は、例えば、高速伝送用のＬＡと、ＴＩＡとにより構成され、第３の変調部３８は、例えば、中速伝送用のＬＤＤで構成されている。
【００４７】
また、映像表示システム７は、通常動作状態においては、ソース機器２からシンク機器５に伝送されるビデオ信号は、高速で伝送され、その伝送速度（高速伝送速度）は、約数Gbpsであり、ソース機器２とシンク機器５との間で相互に伝送される制御信号やリモコン信号は、中速で伝送され、その伝送速度（中速伝送速度）は、約数十Mbpsであるが、実施例ではソース機器２からシンク機器５への伝送は、高速伝送中に重畳し伝送されている。
【００４８】
また、スタンバイ動作状態において、ソース機器２とシンク機器５との間で相互に伝送される信号は、低速で伝送され、その伝送速度（低速伝送速度）は、約数kbpsである。なお、映像表示システム７は、スタンバイ動作モードに設定されると、消費電力が極限まで低減される。
【００４９】
また、光伝送ケーブル１は、映像表示システム７の動作状態に応じて動作モードが切り替わる。光伝送ケーブル１の動作モードには、信号を高速・中速伝送できるフル動作モードと、信号を低速伝送できるスタンバイ動作モードとがある。
【００５０】
ここで、映像表示システム７の動作の切り替えと、当該動作切り替えに応じた光伝送ケーブル１のモードの切り替えについて説明する。
【００５１】
映像表示システム７は、ソース機器２及びシンク機器５の電源がＯＮ状態（通常動作状態）になっている場合（光伝送ケーブル１はフル動作モード）に、リモコンにより所定のコマンド（電源をＯＦＦにするコマンド）が発信されると、当該コマンドに応じた信号がシンク機器５から光伝送ケーブル１を介してソース機器２に伝送され、映像表示システム７がスタンバイ状態（スタンバイ動作状態）になる。このとき、光伝送ケーブル１は、スタンバイ動作モードに切り替わる。
【００５２】
また、映像表示システム７は、ソース機器２及びシンク機器５の電源がＯＦＦ状態（スタンバイ動作状態）になっている場合に、リモコンにより所定のコマンド（電源をＯＮにするコマンド）が発信されると、当該コマンドに応じた信号がシンク機器５から光伝送ケーブル１を介してソース機器２に伝送され、映像表示システム７がフル動作状態（通常動作状態）になる。このとき、光伝送ケーブル１は、フル動作モードに切り替わる。このようにしてリモコンの操作に応じて、映像表示システム７は、通常動作状態とスタンバイ動作状態とが切り替えられ、光伝送ケーブル１は、フル動作モードとスタンバイ動作モードが切り替えられる構成となっている。
【００５３】
ここで、電源部について説明する。従来、光モジュール部を構成している各デバイスに電源を供給する電源部は、クロストークを考慮して送信部と、受信部とで電源フィルタを付加して分離することはあっても、光モジュール部としては単一の電源構成となっていた。本発明に係る光伝送ケーブル１では、スタンバイ動作モードでも常に動作するデバイス（第１の変換部１１（ＬＤ）、第２の変換部１２（ＰＤ）、第３の変換部３１（ＰＤ）、第４の変換部３２（ＬＤ））と、スタンバイ動作モードのときには動作しないデバイス（第１の変調部１５（ＬＤＤ）、第１の信号生成部１８（ＴＩＡ，ＬＡ）、第３の変調部３８（ＬＤＤ）、第３の信号生成部３５（ＴＩＡ，ＬＡ））の電源を分離し、スタンバイ動作モード時の低消費電力化を図っている。なお、図４及び図５に示すVcc_STBY_LDは、第１の電源Ｖ１及び第５の電圧Ｖ５に対応しており、Vcc_STBY_PDは、第４の電圧Ｖ４及び第７の電圧Ｖ７に対応している。
【００５４】
つぎに、送信系のデバイスであるＬＤＤ（第１の変調部１５及び第３の変調部３８）について説明する。通常、ＬＤＤは、ＬＤを強度変調するための変調電流と、ＬＤのバイアス点を設定するための直流バイアス電流を制御する端子を具備している。変調電流ラインＬ１には、直流成分を除去するためのコンデンサＣが挿入されており、バイアス電流ラインＬ２には、高周波成分を除去するためのインダクタＬが挿入されているのが一般的である。
【００５５】
本実施例では、インダクタＬの他にバイアス電流ラインＬ２に回路部（第２の変調部１７及び第４の変調部４０）を設ける構成となっている（図４及び図５）。また、信号の高速・中速伝送と低速伝送において、ＬＤ（第１の変換部１１及び第４の変換部３２）とＰＤ（第２の変換部１２及び第３の変換部３１）を兼用する。
【００５６】
ここで、第２の変調部１７及び第４の変調部４０の構成について説明する。
【００５７】
信号の高速・中速伝送を行う場合には、光伝送特性の最適化（消光比及びダークレベル等）を図る必要があるため、変調電流ラインＬ１を流れる変調電流及びバイアス電流ラインＬ２を流れるバイアス電流は、厳密に設定されなければならない。
【００５８】
ところで、本発明に係る第１の光モジュール部１３及び第２の光モジュール部３３は、高速伝送用のＬＤを低速伝送の際にも用いる。したがって、高速伝送用のＬＤを用いて低速伝送を行う場合には、ＬＤの立ち上がり特性及び立ち下がり特性は問題ないので、ＬＤＤの変調電流ラインＬ１及びバイアス電流ラインＬ２を使用しなくても良い。
【００５９】
また、第１の光モジュール部１３及び第２の光モジュール部３３は、バイアス電流ラインＬ２に、ＭＯＳＦＥＴ（Metal-Oxide-Semiconductor Field Effect Transistor）を挿入する構成であるが、スイッチングの動作を行うものであれば、ＦＥＴ以外の素子であっても構わない。
【００６０】
具体的には、第１の光モジュール部１３は、図４に示すように、バイアス電流ラインＬ２にＦＥＴ１とＦＥＴ２（第２の光モジュール部３３では、ＦＥＴ５、ＦＥＴ６）を挿入する。スタンバイ動作モードに設定され、ＬＤＤを使用しないとき、すなわち、ＬＤＤへの電源の供給を停止（ＯＦＦ）する場合には、ＦＥＴ１及びＦＥＴ２を作用させ、低速伝送を実現する。なお、変調電流ラインＬ１にＦＥＴを挿入した場合には、数Gbpsの信号がＦＥＴの寄生成分を介在することになり、伝送特性に悪影響を及ぼす可能性があるため、変調電流ラインＬ１にはＦＥＴを挿入しない。
【００６１】
また、ＦＥＴ１（第２の光モジュール部３３ではＦＥＴ５）は、ＬＤＤへの電源供給がＯＦＦの時に連動してＯＦＦとなり、スタンバイ動作モード時にバイアス電流ラインＬ２からＬＤＤへの電流流入を物理的に遮断し、ＬＤＤが破壊されるのを防止している。
【００６２】
ここで、ＦＥＴ１（ＦＥＴ５）が必要な理由について説明する。一般的なＩＣでは、電源がＯＦＦの時には、ＬＤＤへの電流流入を想定していない。これは、既述のように、一般的にはＬＤＤとＬＤは同一の電源部から電源が供給される構造になっているため、ＬＤＤの電源がＯＦＦのときに、ＬＤＤに向かって電流が流入することはないからである。一方で、本願発明では、ＬＤＤへの電源がＯＦＦのときにも電流の流入があり得るため、この電流の流入を防止する必要がある。
【００６３】
また、低速動作時には低周波数の電流が発生するが、変調電流ラインＬ１には、コンデンサＣ（０．０１μＦ〜０．１μＦ）が挿入されているので、電流の流入を防ぐことができる。
【００６４】
このようにして、バイアス電流ラインＬ２には、ＦＥＴ１（ＦＥＴ５）を挿入し、また、変調電流ラインＬ１には、コンデンサＣを挿入することによって、ＬＤＤに供給される電源がＯＦＦになった時の電流によるＩＣ破壊を防止している。
【００６５】
また、第１の光モジュール部１３は、低速動作の信号伝送をＦＥＴ２（第２の光モジュール部３３では、ＦＥＴ６）によって行っている。ＬＤの動作電圧とVcc_STBY_LDの電位差及び抵抗Ｒ２（第２の光モジュール部３３では、抵抗Ｒ１１）によって決定される電流量によって、低速時の変調電流が決定される。
【００６６】
また、ＬＤは、アイ・セイフティー（eye safety）の制限から、所定レベル（ｃｌａｓｓ１）に相当する発光量に収まるように設定される。また、抵抗Ｒ１（第２の光モジュール部３３では、抵抗Ｒ１２）及び抵抗Ｒ３（第２の光モジュール部３３では、抵抗Ｒ１３）はデフォルト時にＦＥＴ１（第２の光モジュール部３３では、ＦＥＴ５）及びＦＥＴ２（第２の光モジュール部３３では、ＦＥＴ６）がＯＦＦになるように設定されているが、必要に応じて変更しても構わない。
【００６７】
また、信号を送信する際の低速動作周波数の上限は、ＦＥＴ２（第２の光モジュール部３３では、ＦＥＴ６）の応答速度はもちろん、信号が高周波数になるにつれて変調電流ラインＬ１のコンデンサＣを通じて漏れる電流量によって制限されることになる。
【００６８】
以上のように本発明を適用する場合、光モジュールの送信系で消費する電力は、ほとんどＬＤに流れる電流のみ（数十ｍＷ程度）であり、かつ信号を伝送しない時間帯の消費電力をゼロにすることができる。
【００６９】
ここで、受信系のデバイスであるＴＩＡ及びＬＡ（第１の信号生成部１８及び第３の信号生成部３５）について説明する。一般的には、電源部（Vcc_STBY_PD）とＰＤの間にはデバイスを何も挿入しない。本発明では、電源部（Vcc_STBY_PD）とＰＤとの間にカレントミラー（ＣＭ、Current Mirror）１で構成される回路部と、ＦＥＴ３を挿入し、低速動作を実現している。なお、第２の光モジュール部３３では、ＣＭ２と、ＦＥＴ４とで構成されている。
【００７０】
また、ＣＭ１は、トランジスタのペアで構成されており、一方のトランジスタに流れた電流を、他方のトランジスタに複製する機能を有している。すなわち、ＰＤの受光量に応じた受光電流を抵抗Ｒ５（第２の光モジュール部３３では、抵抗Ｒ９）及び抵抗Ｒ６（第２の光モジュール部３３では、抵抗Ｒ１０）側に複製する。なお、実際には、一方のトランジスタには、Ｒ４／Ｒ５（第２の光モジュール部３３では、Ｒ８／Ｒ９）の比で決まる電流量が複製されることになる。
【００７１】
また、複製された電流量に応じて抵抗Ｒ６（第２の光モジュール部３３では、抵抗Ｒ１０）の電位が決まり、ＦＥＴ３（第２の光モジュール部３３では、ＦＥＴ４）の動作を決定する。また、既述した送信系のデバイス（ＬＤＤ）と同様に、伝送特性を考慮し、ＴＩＡ及びＬＡに相当する高性能なＩ−Ｖ変換器や波形整形回路が必要だが、スタンバイ動作モードでは、数kbpsの低速信号による信号伝送であるために、抵抗Ｒ７（第２の光モジュール部３３では、抵抗Ｒ１４）のpull-up電圧で決まる振幅（一般的には、３．３Ｖ）で動作させることが可能となる。スタンバイ動作モード時の受信系のデバイス（ＴＩＡ，ＬＡ）の消費電力は、送信系のデバイスと同様に、ＰＤ、ＦＥＴ、ＣＭ及び抵抗Ｒにより消費される電力分のみであり、信号待機時の消費電力をほぼゼロにすることが可能となる。
【００７２】
上述のように、光伝送ケーブル１を用いた映像表示システム７では、スタンバイ動作モード時の信号の送信及び受信を極めて低い消費電力で行うことが可能であり、さらに信号待機時の消費電力をほぼゼロにすることが可能となる。
【００７３】
ここで、光伝送ケーブル１の動作モードの状態遷移に応じて、適宜動作が切り替わる各デバイスの動作状態について述べる（図６）。
【００７４】
＜フル動作モードからスタンバイ動作モードへの切り替え動作＞
スタンバイ動作モードに入るか否かは、シンク機器５から供給されてきた信号に基づき、ソース機器２が判断する。
【００７５】
ソース機器２は、光伝送ケーブル１を介して所定の信号（スタンバイ動作モードに切り替える旨の信号）を受信した場合、第１の光伝送ユニット４にその旨の信号を送信する。
【００７６】
第１の光伝送ユニット４の第１の論理回路部１４は、ソース機器２から供給された信号に基づいてスタンバイ信号を生成し、生成したスタンバイ信号を高速伝送用のＳＥＲＤＥＳ及びＬＤＤを介してＬＤへ供給する。ＬＤは、電気信号を光信号に変換（Ｅ／Ｏ変換）し、変換した光信号を光伝送ケーブル１を介して第２の光伝送ユニット６に供給する。
【００７７】
第２の光伝送ユニット６は、光伝送ケーブル１を介して供給された光信号をＰＤで電気信号に変換し、シンク機器５へ供給する。シンク機器５は、スタンバイ信号を受信した後、第２の論理回路部３４により第３の継続・停止部３６及び第４の継続・停止部３９を制御して、高速用ＬＡ、ＴＩＡ（第３の信号生成部３５）の電源（Ｖｃｃ＿Ｒｘ）及び中速用ＬＤＤ（第３の変調部３８）の電源（Ｖｃｃ＿Ｔｘ）をＯＦＦにする（ＳＥＲＤＥＳ（第２の信号変換部４１）も同時に電源がＯＦＦになる）。また、ソース機器２は、第１の論理回路部１４により第１の継続・停止部１６及び第２の継続・停止部１９を制御して、高速用ＬＤＤ（第１の変調部１５）の電源（Ｖｃｃ＿Ｔｘ）及び中速用ＬＡ、ＴＩＡ（第１の信号生成部１８）の電源（Ｖｃｃ＿Ｒｘ）をＯＦＦにする（ＳＥＲＤＥＳ（第１の信号変換部２１）も同時に電源がＯＦＦになる）。
【００７８】
したがって、各電源に連動して第２の変調部１７のＦＥＴ１及び第４の変調部４０のＦＥＴ５がＯＦＦにされ、ＬＤＤのバイアス電流ラインＬ２が切り離される。このとき、第１の光伝送ユニット４及び第２の光伝送ユニット６は、相互にＡＣＫ等の所定のコマンドによるハンドシェークを行い、低速伝送の準備が整ったこと、すなわちスタンバイ動作モードの準備が調ったことを確認することが望ましい。このようなシーケンスにより、フル動作モードからスタンバイ動作モードへと切り替えられる。
【００７９】
＜スタンバイ動作モード時の光伝送ケーブル１の動作＞
ソース機器２は、スタンバイ動作モードのときに、シンク機器５からフル動作モードに切り替える旨の信号を受信した場合、スタンバイ解除信号を生成し、シンク機器５に供給する。光伝送ケーブル１は、このスタンバイ解除信号を受信するまではスタンバイ動作モードを継続する。
【００８０】
また、一般的には、リモコンから送信された信号を解釈するのはソース機器２であって、シンク機器５ではない。したがって、シンク機器５で受信したリモコン信号をソース機器２へと伝送する必要がある。ただし、解釈するマイコン等を光伝送ユニット内に実装することも可能であり、このような構成の場合には、シンク機器５に接続されている光伝送ユニットでリモコン信号を解釈し、所定の信号（スタンバイ信号又はスタンバイ解除信号）をソース機器に接続されている光伝送ユニットに送信する。
【００８１】
スタンバイ動作モードにおいて、シンク機器５で受信したリモコン信号は、第２の論理回路部３４を介して、低速送信信号としてＦＥＴ６のゲート（Ｇ）を駆動する。ＦＥＴ５は、電源が供給されないためＯＦＦになっており、また、変調電流ラインＬ１は、コンデンサＣで遮断されている。したがって、ＬＤ（第４の変換部３２）は、抵抗Ｒ１１で規定される電流量に応じた光量の光信号に電気信号を変換する。なお、リモコン信号は、２kbps程度であるが、既述したＦＥＴの駆動動作で第１の光伝送ユニット４へ伝送することが可能である。
【００８２】
また、ＬＤ（第４の変換部３２）によりＥ／Ｏ変換された光信号は、光ファイバを経由し、ソース機器２に接続されている第１の光伝送ユニット４へ伝送される。第１の光伝送ユニット４は、光ファイバを介して供給された光信号をＰＤ（第２の変換部１２）で受信する。ＰＤ（第２の変換部１２）は、受光量に応じたＰＤ電流を発生し、ＣＭ１を経由する。ＣＭ１は、供給されたＰＤ電流を他方のトランジスタに複製する。Ｒ６には、Ｒ４／Ｒ５の比で決まる電流が流れ、電位が発生する。このように発生した電位がＦＥＴ３のゲート（Ｇ）を制御し、第１の論理回路部１４へとリモコン信号を伝送する。なお、第１の光伝送ユニット４は、スタンバイ解除信号が供給されるまで、一連の動作を繰り返す。
【００８３】
＜スタンバイ動作モードからフル動作モードへの切り替え動作＞
ソース機器２は、光伝送ケーブル１を介して所定の信号（フル動作モードに切り替える旨の信号）を受信した場合、第１の光伝送ユニット４にその旨の信号を送信する。
【００８４】
第１の光伝送ユニット４の第１の論理回路部１４は、ソース機器２から供給された信号に基づいてスタンバイ解除信号を生成し、生成したスタンバイ解除信号によりＦＥＴ２のゲート（Ｇ）を制御し、ＬＤ（第１の変換部１１）を作用させる。ＬＤ（第１の変換部１１）は、スタンバイ解除信号に基づく光信号をシンク機器５へ伝送する。
【００８５】
第１の光伝送ユニット４は、シンク機器５でスタンバイ解除を認識したタイミングで高速・中速伝送回路への切り替えを行う。すなわち、第１の論理回路部１４は、第１の継続・停止部１６及び第２の継続・停止部１９を制御して、高速用ＬＤＤ（第１の変調部１５）の電源（Ｖｃｃ＿Ｔｘ）及び中速用ＬＡ、ＴＩＡ（第１の信号生成部１８）の電源（Ｖｃｃ＿Ｒｘ）をＯＮにし（ＳＥＲＤＥＳ（第１の信号変換部２１）も同時に電源がＯＮになる）、第２の論理回路部３４は、第３の継続・停止部３６及び第４の継続・停止部３９を制御して、高速用ＬＡ、ＴＩＡ（第３の信号生成部３５）の電源（Ｖｃｃ＿Ｒｘ）及び中速用ＬＤＤ（第３の変調部３８）の電源（Ｖｃｃ＿Ｔｘ）をＯＮにする（ＳＥＲＤＥＳ（第２の信号変換部４１）も同時に電源がＯＮになる）。
【００８６】
高速・中速伝送回路の切り替えが第１の光伝送ユニット４及び第２の光伝送ユニット６の双方で確立した時点で、ＲＧＢビデオ信号等がソース機器２からシンク機器５へと伝送が開始され、フル動作モードとなる。
【００８７】
上述の実施例では、既存のＩＣにＦＥＴ及びＣＭ等を外付けした場合について述べたが、もちろん外付けのみに限定されるものではなく、ＩＣ内部に取り込んだ構成にしても構わない。
【００８８】
また、本発明は、高速通信するモードと、待機時のように低速通信でよいが低消費電力動作を求められるような複数の伝送モードが存在する場合において、以下のような効果が期待される。
【００８９】
１．同一のアクティブデバイス（ＬＤ、ＰＤ）を使用し、別チャネル（ＬＤ、ＰＤ、ＬＤＤ、ＴＩＡ、ＬＡ、ファイバ等）を設けることなく異なる速度の伝送が可能である。
【００９０】
２．光通信専用のデバイスが不要なため、容易に構成可能（ＦＥＴ、ＣＭといった汎用デバイスが数個で構成可能）となる。
【００９１】
３．光通信専用のデバイスが不要なため、安価に構成可能である。すなわち、ＬＤＤ、ＴＩＡ、ＬＡといったデバイスコストはもちろん、ファイバ、光学デバイスのコストアップがない。したがって、光モジュールの小型化が可能となり、光伝送ユニットの小型化が可能となる。
【００９２】
４．光通信専用デバイスを使用しないため、信号を送受信しない待機時における光モジュールの消費電力を実質的にゼロにし、かつ低速の伝送を非常に低消費電力（数十ｍＷ程度）にすることが可能である。
【００９３】
５．新規に物理レイヤを作り直すことなく、既存のアプリケーションレイヤの信号そのままを伝送してスタンバイ状態の低消費電力化を実現ですることが可能である。
【００９４】
なお、本実施例では、映像信号の伝送を行うことを想定して説明したが、伝送される信号は映像信号に限定されるものではなく、添付の請求の範囲及びその主旨を逸脱することなく、様々な変更、置換又はその同等のものを行うことができることは勿論である。
【図面の簡単な説明】
【００９５】
【図１】本発明に係る光伝送ケーブルの構成を示すブロック図である。
【図２】本発明に係る第１の光伝送ユニットの構成を示すブロック図である。
【図３】本発明に係る第２の光伝送ユニットの構成を示すブロック図である。
【図４】図２に示した第１の光伝送ユニットの具体的な構成を示す図である。
【図５】図３に示した第２の光伝送ユニットの具体的な構成を示す図である。
【図６】光伝送ケーブルの各動作モードに切り替えられる際の各デバイスの動作を示す図である。
【図７】光伝送ケーブルでコネクトされる表示システムの構造を示すブロック図である。
【図８】光伝送ケーブルを構成する第１の光伝送ユニット及び第２の光伝送ユニットの構成を示すブロック図である。
【図９】光伝送ケーブルに低伝送用のデバイスを追加した場合の構成を示すブロック図である。
【図１０】図９に示す構成における第１の光伝送ユニットの具体的な構成を示す図である。
【図１１】図９に示す構成における第２の光伝送ユニットの具体的な構成を示す図である。
【符号の説明】
【００９６】
１  光伝送ケーブル、２  ソース機器、３  光ファイバ、４  第１の光伝送ユニット、５  シンク機器、６  第２の光伝送ユニット、１０  第１の接続部、１１  第１の変換部、１２  第２の変換部、１３  第１の光モジュール部、１４  第１の論理回路部、１５  第１の変調部、１６  第１の継続・停止部、１７  第２の変調部、１８  第１の信号生成部、１９  第２の継続・停止部、２０  第２の信号生成部、２１  第１の信号変換部、３０  第２の接続部、３１  第３の変換部、３２  第４の変換部、３３  第２の光モジュール部、３４  第２の論理回路部、３５  第３の信号生成部、３６  第３の継続・停止部、３７  第４の信号生成部、３８  第３の変調部、３９  第４の継続・停止部、４０  第４の変調部、４１  第２の信号変換部
【図１】
0004665628.tif 000002
【図２】
0004665628.tif 000003
【図３】
0004665628.tif 000004
【図４】
0004665628.tif 000005
【図５】
0004665628.tif 000006
【図６】
0004665628.tif 000007
【図７】
0004665628.tif 000008
【図８】
0004665628.tif 000009
【図９】
0004665628.tif 000010
【図１０】
0004665628.tif 000011
【図１１】
0004665628.tif 000012